(57)【要約】      （修正有）【課題】基地局のセンタ装置とリモート装置間で障害発生した時でも、インチャネル情報を確実に送受信する。【解決手段】複数チャネルの光信号を波長多重してベースバンド信号を送受信する基地局システムおいて、センタ装置は、複数チャネルの光信号を用いて無線制御部が処理するベースバンド信号をリモート装置との間で送受信する第１の光通信部と、予め決められた同期信号と無線部を制御するための制御情報とを、第１の光通信部が送信する光信号にチャネル毎に付加してリモート装置に送信する第１の制御部とを有し、リモート装置は、複数チャネルの光信号を用いて無線部で送受信するベースバンド信号をセンタ装置との間で送受信する第２の光通信部と、センタ装置から受信する光信号から同期信号を抽出し、同期信号の同期が確立しているか否かを判別し、同期が確立しているチャネルの制御情報を選択して無線部を制御する第２の制御部とを有する。【選択図】図２
2015156551.tif 000002
【特許請求の範囲】
【請求項１】
複数チャネルの光信号を波長多重して相互に通信を行うセンタ装置およびリモート装置と、前記センタ装置に接続され、無線通信のベースバンド信号を処理する無線制御部と、前記リモート装置に接続され、前記無線制御部が処理するベースバンド信号を無線周波数に変換して無線端末との間で送受信する複数の無線部と有する基地局システムおいて、
前記センタ装置は、
前記複数チャネルの光信号を用いて前記無線制御部が処理するベースバンド信号を前記リモート装置との間で送受信する第１の光通信部と、
予め決められた同期信号と前記無線部を制御するための制御情報とを、前記第１の光通信部が送信する光信号にチャネル毎に付加して前記リモート装置に送信する第１の制御部とを有し、
前記リモート装置は、
前記複数チャネルの光信号を用いて前記無線部で送受信するベースバンド信号を前記センタ装置との間で送受信する第２の光通信部と、
前記センタ装置から受信する光信号から前記同期信号を抽出し、前記同期信号の同期が確立しているか否かを判別し、同期が確立しているチャネルの前記制御情報を選択して前記無線部を制御する第２の制御部とを有する
ことを特徴とする基地局システム。
【請求項２】
請求項１に記載の基地局システムにおいて、
前記センタ装置および前記リモート装置は、ＣＰＲＩ規格のインターフェースにより、前記無線制御部および前記無線部に接続される
ことを特徴とする基地局システム。
【請求項３】
請求項２に記載の基地局システムにおいて、
複数の前記無線部を有し、前記センタ装置および前記リモート装置との間で２つのチャネルの光信号を波長多重して相互に通信を行う場合、
前記センタ装置は、複数の前記無線部を２つのチャネルに分け、前記チャネル毎にベースバンド信号を束ねて光信号に変換し、前記同期信号と前記制御情報とをチャネル毎に付加して前記リモート装置に送信し、
前記リモート装置は、前記センタ装置から受信する各チャネルの光信号から前記同期信号をチャネル毎に抽出し、更に前記同期信号の同期が確立しているか否かをチャネル毎に判別し、前記同期信号の同期が確立しているチャネルの前記制御情報を選択して、当該チャネルに対応する前記無線部を制御する
ことを特徴とする基地局システム。
【請求項４】
請求項３に記載の基地局システムにおいて、
前記チャネル毎の光信号は、異なるベースバンド信号と、同一の前記同期信号および前記制御情報を有することを特徴とする基地局システム。
【発明の詳細な説明】
【技術分野】
【０００１】
本発明は、基地局システムに関する。
【背景技術】
【０００２】
近年、携帯電話やスマートフォンなど様々なモバイル無線端末が利用されている。モバイル無線端末は、屋外や屋内の無線基地局に接続して通話や通信を行うため、無線通信会社は、数多くの無線基地局を様々な場所に設置することが求められる。そこで、設置コストを低減するために、無線基地局を無線部分（ＲＲＨ：Remote Radio Header）とベースバンド部分（ＢＤＥ：Base station Digital processing Equipment）とに分離して、ＢＤＥから離れた場所にＲＲＨを設置する技術が用いられている。例えば、１台のＢＥＤと複数台のＲＲＨが接続される場合、ＢＤＥ側のセンタ装置は、各ＲＲＨに対応するベースバンド信号を光信号に変換して多重し、１本の光ファイバでＲＲＨ側に送信する。そして、ＲＲＨ側のリモート装置は、センタ装置から受信する複数の回線のベースバンド信号を無線信号に変換して各回線に対応するＲＲＨのアンテナから送信する（例えば、非特許文献１，２参照）。例えば、６つのセクタに対応するベースバンド信号が光信号に変換されて多重され、１本の光ファイバでＲＲＨ側に伝送される。これにより、セクタ毎にＢＤＥからＲＲＨまで配線せずに済み、設置コストが低減される。このように、ＢＤＥとＲＲＨとの間を光ファイバで接続するためのインターフェース規格として、ＣＰＲＩ（Common Public Radio Interface）が知られている。また、ＢＤＥとＲＲＨとを接続するためのセンタ装置およびリモート装置の間でインチャネル情報（例えば、キャリアの状態などを監視する監視制御信号など）が送受信される。
【先行技術文献】
【非特許文献】
【０００３】
【非特許文献１】http://www.nttdocomo.co.jp/binary/pdf/corporate/technology/rd/technical_journal/bn/vol18_1/vol18_1_033jp.pdf、NTT DOCOMO テクニカル・シ゛ャーナルVol.18 No.1,p.33-37（2010）
【非特許文献２】http://img.jp.fujitsu.com/downloads/jp/jmag/vol62-4/paper07.pdf、FUJITSU.62,4,p. 388-393（07, 2011）
【発明の概要】
【発明が解決しようとする課題】
【０００４】
一方、ＣＰＲＩ用のＬＳＩ（Large Scale Integration）は、例えば３つのベースバンド信号を束ねてセンタ装置とリモート装置との間で通信する機能を有する。そして、ＢＤＥは、６セクタのベースバンド信号をＲＲＨに送信する場合、２個のＣＰＲＩ用のＬＳＩを使用して、波長が異なる２つのチャネルの光信号に変換し、ＷＤＭ（Wavelength Division Multiplexing）により多重して伝送する。
【０００５】
ところが、センタ装置側からＲＲＨを制御するための制御信号（インチャネル情報と称する）は、片方のチャネルの光信号に多重して通信されている。このため、インチャネル情報を送受信しているチャネルのＬＳＩや通信経路に障害が生じた場合、インチャネル情報を送受信していないチャネルのＲＲＨの制御が困難になる。これにより、インチャネル情報を送受信していないチャネルのベースバンド信号が正常にＢＤＥからＲＲＨに送信されているにも拘らず、インチャネル情報の送受信が難しいため、全てのＲＲＨが動作しなくなる。
【０００６】
このように、センタ装置とリモート装置とが複数チャネルで多重接続される場合、インチャネル情報を送受信するチャネルに障害が発生した場合、インチャネル情報を送受信していないチャネルの通信も切断されるという問題があった。
【０００７】
本件開示の基地局システムは、センタ装置とリモート装置との間でインチャネル情報を確実に送受信する技術を提供することを目的とする。
【課題を解決するための手段】
【０００８】
一つの観点によれば、基地局システムは、複数チャネルの光信号を波長多重して相互に通信を行うセンタ装置およびリモート装置と、センタ装置に接続され、無線通信のベースバンド信号を処理する無線制御部と、リモート装置に接続され、無線制御部が処理するベースバンド信号を無線周波数に変換して無線端末との間で送受信する複数の無線部と有する基地局システムおいて、センタ装置は、複数チャネルの光信号を用いて無線制御部が処理するベースバンド信号をリモート装置との間で送受信する第１の光通信部と、予め決められた同期信号と無線部を制御するための制御情報とを、第１の光通信部が送信する光信号にチャネル毎に付加してリモート装置に送信する第１の制御部とを有し、リモート装置は、複数チャネルの光信号を用いて無線部で送受信するベースバンド信号をセンタ装置との間で送受信する第２の光通信部と、センタ装置から受信する光信号から同期信号を抽出し、同期信号の同期が確立しているか否かを判別し、同期が確立しているチャネルの制御情報を選択して無線部を制御する第２の制御部とを有することを特徴とする。
【発明の効果】
【０００９】
本件開示の基地局システムは、センタ装置とリモート装置との間でインチャネル情報を確実に送受信することができる。
【図面の簡単な説明】
【００１０】
【図１】基地局システムの一例を示す図である。
【図２】センタ装置の一例を示す図である。
【図３】インチャネル情報送信部の一例を示す図である。
【図４】送信フレームの一例を示す図である。
【図５】光信号フォーマットの一例を示す図である。
【図６】同期信号を付加する一例を示す図である。
【図７】リモート装置の一例を示す図である。
【図８】インチャネル情報受信部の一例を示す図である。
【発明を実施するための形態】
【００１１】
以下、図面を用いて実施形態を説明する。
【００１２】
図１は、基地局システム１００の一例を示す。図１において、基地局システム１００は、基地局１０１と、張出局１０２とを有する。そして、基地局１０１と張出局１０２は、１本の光ファイバ１０３により接続される。また、基地局１０１は、コアネットワーク１０４を介して、基地局制御装置１０５に接続される。基地局制御装置１０５は、他の基地局１０１を含む複数の基地局１０１を管理および制御し、各基地局１０１と通信する無線端末１０６の接続を管理する。例えば、基地局制御装置１０５は、無線端末１０６の認証や課金、或いは、無線端末１０６の移動に伴う基地局１０１の切り替えなどを制御する。
【００１３】
基地局１０１は、基地局デジタル処理部（以降、ＢＤＥと称する）２０１と、センタ装置２０２とを有する。ここで、基地局１０１は、無線部分を除く処理を行い、後述する張出局１０２は、無線部分の処理を行う。
【００１４】
ＢＤＥ２０１は、ベースバンド処理や基地局１０１および張出局１０２の監視制御処理などを行う。例えば、ＢＤＥ２０１は、無線端末１０６がインターネット上のサーバから基地局制御装置１０５を介して受信するデータを回線毎にベースバンド信号に変調する。或いは、ＢＤＥ２０１は、無線端末１０６から受信するベースバンド信号を復調した各回線のデータを基地局制御装置１０５を介してインターネット上のサーバに送信する。尚、基地局制御装置１０５は、通信事業社内の無線端末１０６の接続や基地局１０１の管理などを行い、インターネットなど外部のネットワークへの接続は、ゲートウェイを介して行う。
【００１５】
センタ装置２０２は、ＣＰＲＩ規格に準拠するインターフェースで接続されるＢＤＥ２０１との間で入出力する回線のベースバンド信号を光信号に変換し、光ファイバ１０３を介して張出局１０２との間で送受信する。尚、センタ装置２０２については、後で詳しく説明する。
【００１６】
一方、張出局１０２は、リモート装置２０３と、回線毎のベースバンド信号を無線周波数に変換して送受信する６つの無線部（ＲＲＨ）２０４ａ、２０４ｂ、２０４ｃ、２０４ｄ、２０４ｅおよび２０４ｆを有する。無線部２０４ａ、２０４ｂ、２０４ｃ、２０４ｄ、２０４ｅおよび２０４ｆは、それぞれ１つずつアンテナ２０５ａ、２０５ｂ、２０５ｃ、２０５ｄ、２０５ｅおよび２０５ｆを有し、無線周波数に変換された電波を送受信する。ここで、複数の無線部２０４ａ、２０４ｂ、２０４ｃ、２０４ｄ、２０４ｅおよび２０４ｆのうち特定の無線部を指す場合は、符号にアルファベットを付加して、例えば無線部２０４ａのように表記する。また、複数の無線部２０４ａ、２０４ｂ、２０４ｃ、２０４ｄ、２０４ｅおよび２０４ｆに共通する内容を説明する場合は、アルファベットを省略して無線部２０４と表記する。また、アンテナ２０５についても無線部２０４と同様に表記する。
【００１７】
尚、図１に示した本実施形態に係る基地局システム１００は、６つのＲＲＨ２０４の各アンテナ２０５から電波を放射し、例えば６セクタのアンテナとして用いるが、６つでなくてもよい。そして、本実施形態に係る基地局システム１００は、６つのＲＲＨ２０４に対応する６つの回線のベースバンド信号を３回線ずつ束ねて２つのチャネルを設け、センタ装置２０２とリモート装置２０３との間で通信する。このため、各チャネルのベースバンド信号は、異なる波長の光信号に変換され、ＷＤＭにより、１本の光ファイバ１０３で通信される。
【００１８】
リモート装置２０３は、ＣＰＲＩ規格に準拠するインターフェースで接続されるＲＲＨ２０４との間で入出力する各回線のベースバンド信号を光信号に変換し、光ファイバ１０３を介してセンタ装置２０２との間で送受信する。尚、リモート装置２０３については、後で詳しく説明する。
【００１９】
ＲＲＨ２０４は、ＢＤＥ２０１からセンタ装置２０２およびリモート装置２０３を介して入力するベースバンド信号を予め決められた無線周波数に変換してアンテナ２０５から無線端末１０６に放射する。或いは、ＲＲＨ２０４は、無線端末１０６から放射される電波をアンテナ２０５で受信してベースバンド信号に変換し、リモート装置２０３およびセンタ装置２０２を介してＢＤＥ２０１に出力する。
【００２０】
このように、本実施形態に係る基地局システム１００は、ベースバンド信号を処理する基地局１０１と、無線信号を処理する張出局１０２とが離れて設置され、ＣＰＲＩ規格のインターフェースにより、光ファイバ１０３で接続されている。
【００２１】
図２は、センタ装置２０２の一例を示す。図２において、センタ装置２０２は、ＢＤＥ２０１との間で入出力する６つの回線のベースバンド信号を光信号に変換する電気／光（Ｅ／Ｏ：Electrical/Optical）変換部３０１ａ、３０１ｂ、３０１ｃ、３０１ｄ、３０１ｅおよび３０１ｆを有する。さらに、センタ装置２０２は、１０ＧＭＵＸ／ＤＥＭＵＸ３０２ａと、１０ＧＭＵＸ／ＤＥＭＵＸ３０２ｂと、ＭＵＸ／ＤＥＭＵＸ３０３と、制御部３０４と、インチャネル情報送信部３０５とを有する。ここで、１０Ｇは１０Ｇｂｐｓの通信速度、ＭＵＸはＭＵｌｔｉｐｌｅＸｅｒ、ＤＥＭＵＸはＤＥＭＵｌｔｉｐｌｅＸｅｒをそれぞれ示す。
【００２２】
ここで、Ｅ／Ｏ変換部３０１ａ、３０１ｂ、３０１ｃ、３０１ｄ、３０１ｅおよび３０１ｆは、ＲＲＨ２０４およびアンテナ２０５と同様にアルファベットを付けて表記する。また、１０ＧＭＵＸ／ＤＥＭＵＸ３０２ａおよび１０ＧＭＵＸ／ＤＥＭＵＸ３０２ｂについても同様にアルファベットを付けて表記する。
【００２３】
図２において、センタ装置２０２は、６つの回線をＥ／Ｏ変換部３０１ａ、３０１ｂおよび３０１ｃと、Ｅ／Ｏ変換部３０１ｄ、３０１ｅおよび３０１ｆとの２つのチャネルに分けてリモート装置２０３に伝送する。このために、Ｅ／Ｏ変換部３０１ａ、３０１ｂおよび３０１ｃは、１０ＧＭＵＸ／ＤＥＭＵＸ３０２ａに一体化され、Ｅ／Ｏ変換部３０１ｄ、３０１ｅおよび３０１ｆは、１０ＧＭＵＸ／ＤＥＭＵＸ３０２ｂに一体化されている。
【００２４】
Ｅ／Ｏ変換部３０１は、ＢＤＥ２０１から入力する各回線のベースバンド信号を光信号に変換する。或いは、Ｅ／Ｏ変換部３０１は、張出局１０２側から受信する光信号を各回線のベースバンド信号に変換してＢＤＥ２０１に出力する。
【００２５】
１０ＧＭＵＸ／ＤＥＭＵＸ３０２ａおよび１０ＧＭＵＸ／ＤＥＭＵＸ３０２ｂは、各Ｅ／Ｏ変換部３０１から入力する３つの回線のベースバンド信号を束ねたチャネル毎に異なる波長の光信号に変換して、ＭＵＸ／ＤＥＭＵＸ３０３に出力する。或いは、１０ＧＭＵＸ／ＤＥＭＵＸ３０２ａおよび１０ＧＭＵＸ／ＤＥＭＵＸ３０２ｂは、ＭＵＸ／ＤＥＭＵＸ３０３から受信する異なる波長の光信号をそれぞれのチャネルの３つの回線のベースバンド信号に変換して、それぞれのＥ／Ｏ変換部３０１に出力する。尚、１０ＧＭＵＸ／ＤＥＭＵＸ３０２ａおよび１０ＧＭＵＸ／ＤＥＭＵＸ３０２ｂは、１０Ｇｂｐｓの通信速度を有する光信号を送受信する。また、１０ＧＭＵＸ／ＤＥＭＵＸ３０２ａおよび１０ＧＭＵＸ／ＤＥＭＵＸ３０２ｂは、後述するインチャネル情報送信部３０５が出力するインチャネル情報および同期信号を各チャネルの光信号に付加してＭＵＸ／ＤＥＭＵＸ３０３に出力する。
【００２６】
ＭＵＸ／ＤＥＭＵＸ３０３は、１０ＧＭＵＸ／ＤＥＭＵＸ３０２ａおよび１０ＧＭＵＸ／ＤＥＭＵＸ３０２ｂが出力する波長が異なる光信号を多重して光ファイバ１０３に出力する。或いは、ＭＵＸ／ＤＥＭＵＸ３０３は、光ファイバ１０３から入力する光信号を波長毎に分離して、１０ＧＭＵＸ／ＤＥＭＵＸ３０２ａおよび１０ＧＭＵＸ／ＤＥＭＵＸ３０２ｂに出力する。
【００２７】
制御部３０４は、センタ装置２０２全体の動作を制御する。また、制御部３０４は、ＢＤＥ２０１からの指令により、光ファイバ１０３で離れた場所に設置されている張出局１０２のリモート装置２０３やＲＲＨ２０４の制御も行う。
【００２８】
インチャネル情報送信部３０５は、張出局１０２のリモート装置２０３やＲＲＨ２０４を制御部３０４が制御するための制御信号をインチャネル情報として張出局１０２側に送信する。インチャネル情報は、１０ＧＭＵＸ／ＤＥＭＵＸ３０２ａおよび１０ＧＭＵＸ／ＤＥＭＵＸ３０２ｂの両方に出力され、異なる波長の光信号で張出局１０２側に送信される。尚、インチャネル情報送信部３０５は、予め決められた同期信号を１０ＧＭＵＸ／ＤＥＭＵＸ３０２ａおよび１０ＧＭＵＸ／ＤＥＭＵＸ３０２ｂの両方に出力し、出力された同期信号は、異なる波長の光信号で多重されて張出局１０２側に送信される。
【００２９】
このように、本実施形態におけるセンタ装置２０２は、複数の回線のベースバンド信号を束ねたチャネル毎に異なる波長の光信号に変換してリモート装置２０３との間で送受信する。そして、センタ装置２０２は、異なる波長の光信号のチャネル毎にインチャネル情報と同期信号とを付加してリモート装置２０３側に送信する。これにより、片側のチャネルに障害が発生した場合でも、残りのチャネルでインチャネル情報を送受信できるので、本実施形態に係る基地局システム１００は、障害が発生していないチャネルで送受信する回線の通信を継続することができる。これに対して、片側のチャネルでインチャネル情報を送受信する場合、インチャネル情報を送受信しているチャネルに障害が発生すると、ＢＤＥ２０１は、ＲＲＨ２０４の制御を行うことが難しくなる。尚、本実施形態に係る基地局システム１００は、２つのチャネルでインチャネル情報および同期信号を送受信するが、３つ以上のチャネルで波長分割多重してもよい。３つ以上のチャネルで波長分割多重する場合、基地局システム１００は、各チャネルにインチャネル情報と同期信号とを付加することで、冗長化を図ることができ、本実施形態と同様の効果が得られる。
【００３０】
図３は、インチャネル情報送信部３０５の一例を示す。図３において、インチャネル情報送信部３０５は、インチャネル情報生成部３５１と、同期信号生成部３５２とを有する。
【００３１】
インチャネル情報生成部３５１は、制御部３０４の指令により、リモート装置２０３やＲＲＨ２０４を制御するためのインチャネル情報を生成する。そして、インチャネル情報生成部３５１により生成されたインチャネル情報は、１０ＧＭＵＸ／ＤＥＭＵＸ３０２ａおよび１０ＧＭＵＸ／ＤＥＭＵＸ３０２ｂの両方に出力される。
【００３２】
同期信号生成部３５２は、制御部３０４の指令により、予め決められた同期信号を生成する。そして、同期信号生成部３５２により生成された同期信号は、１０ＧＭＵＸ／ＤＥＭＵＸ３０２ａおよび１０ＧＭＵＸ／ＤＥＭＵＸ３０２ｂの両方に出力される。
【００３３】
このように、インチャネル情報送信部３０５は、インチャネル情報および同期信号を生成して、波長が異なるチャネルの光信号にそれぞれ付加して、張出局１０２側に送信する。
【００３４】
図４は、送信フレームの一例を示す。また、図４（ａ）は、図２に示した１０ＧＭＵＸ／ＤＥＭＵＸ３０２ａ側の送信フレームの一例を示し、図４（ｂ）は、図２に示した１０ＧＭＵＸ／ＤＥＭＵＸ３０２ｂ側の送信フレームの一例を示す。図４（ａ）の例において、１０ＧＭＵＸ／ＤＥＭＵＸ３０２ａは、回線（１）のベースバンド信号５０１、回線（２）のベースバンド信号５０２および回線（３）のベースバンド信号５０３の３つの回線のベースバンド信号をリモート装置２０３に送信する。さらに、１０ＧＭＵＸ／ＤＥＭＵＸ３０２ａは、インチャネル情報５０４と同期信号５０５とをオーバーヘッド（ＯＨ）としてリモート装置２０３に送信する。一方、図４（ｂ）の例において、１０ＧＭＵＸ／ＤＥＭＵＸ３０２ｂは、回線（４）のベースバンド信号５０６、回線（５）のベースバンド信号５０７および回線（６）のベースバンド信号５０８の３つの回線のベースバンド信号をリモート装置２０３に送信する。さらに、１０ＧＭＵＸ／ＤＥＭＵＸ３０２ｂは、図４（ａ）と同じインチャネル情報５０４と同期信号５０５とをオーバーヘッド（ＯＨ）としてリモート装置２０３に送信する。
【００３５】
このように、同じインチャネル情報５０４と同期信号５０５とは、１０ＧＭＵＸ／ＤＥＭＵＸ３０２ａおよび１０ＧＭＵＸ／ＤＥＭＵＸ３０２ｂの両方からリモート装置２０３に異なる波長の光信号でＷＤＭにより送信される。例えば、１０ＧＭＵＸ／ＤＥＭＵＸ３０２ａは、波長λ１の光信号に変換し、１０ＧＭＵＸ／ＤＥＭＵＸ３０２ｂは、波長λ２の光信号に変換する。そして、波長λ１と波長λ２の光信号は、ＭＵＸ／ＤＥＭＵＸ３０３で多重されて光ファイバ１０３に出力される。
【００３６】
図５は、光信号のフォーマットの一例を示す。図５（ａ）に示したフォーマットは、ＴＳ（Time Slot）１からＴＳ１０までの１０個のタイムスロットを単位（ブロック）とし、ＴＳ１からＴＳ１０が繰り返される。そして、図４で説明した送信フレームは、光信号に変換されて図５（ａ）の各タイムスロットに格納されて送信される。
【００３７】
ここで、本実施形態に係る基地局システム１００は、同期信号を予め決められたタイムスロットで定期的に送信する。図５（ｂ）に示したフォーマットは、ＴＳ３に同期信号を格納する例を示している。ここで、同期信号は、特定パターンが連続する信号であればよく、例えば”１０１０１０・・・・”のような光信号がオン（”１”に相当）とオフ（”０”に相当）を繰り返すパターンなどを用いる。或いは、ＰＮ系列（Pseudo random Noise sequences）の符号を同期信号として用いてもよい。尚、インチャネル情報は、同期信号と同じタイムスロットで送信してもよいし、ベースバンド信号と共に別のタイムスロットで送信してもよい。
【００３８】
図６は、同期信号を付加する一例を示す。図６において、Ｂ１、Ｂ２およびＢ３は、図５で説明したＴＳ１からＴＳ１０までのタイムスロットのブロックを示している。例えば、ブロックＢ１は、ＴＳ１からＴＳ１０までの１０個のタイムスロットを有し、ＴＳ３の位置に同期信号Ｓ１が付加されている。同様に、ブロックＢ２およびブロックＢ３は、ＴＳ１からＴＳ１０までの１０個のタイムスロットを有し、ＴＳ３の位置に同期信号Ｓ２およびＳ３が付加されている。ここで、同期信号の同期が確立しているか否かの判断は、１つのブロックで行ってもよいし、複数のブロックで行ってもよい。例えば、図６の場合、リモート装置２０３は、ブロックＢ１，Ｂ２およびＢ３の３つの同期信号Ｓ１，Ｓ２およびＳ３の同期が取れている場合に、同期が確立したと判断する。或いは、リモート装置２０３は、ブロックＢ１の同期信号Ｓ１の同期が取れている場合に、同期が確立したと判断してもよい。
【００３９】
このように、本実施形態に係る基地局システム１００は、同期信号を予め決められた位置のタイムスロットに格納して送信する。尚、図５および図６で説明したタイムスロットの光信号は、図２の１０ＧＭＵＸ／ＤＥＭＵＸ３０２ａおよび１０ＧＭＵＸ／ＤＥＭＵＸ３０２ｂの両方から送信される。ここで、１０ＧＭＵＸ／ＤＥＭＵＸ３０２ａが送信する回線は、図２に示した回線（１）、回線（２）および回線（３）であり、１０ＧＭＵＸ／ＤＥＭＵＸ３０２ｂが送信する回線は、図２に示した回線（４）、回線（５）および回線（６）である。但し、１０ＧＭＵＸ／ＤＥＭＵＸ３０２ａが送信するインチャネル情報および同期信号は、１０ＧＭＵＸ／ＤＥＭＵＸ３０２ｂが送信するインチャネル情報および同期信号と同じである。
【００４０】
図７は、リモート装置２０３の一例を示す。図７において、リモート装置２０３は、ＭＵＸ／ＤＥＭＵＸ４０１と、１０ＧＭＵＸ／ＤＥＭＵＸ４０２ａと、１０ＧＭＵＸ／ＤＥＭＵＸ４０２ｂとを有する。さらに、１０ＧＭＵＸ／ＤＥＭＵＸ４０２ａは、ＲＲＨ２０４との間で入出力する３つの回線（回線（１）、回線（２）および回線（３））の光信号をベースバンド信号に変換する光／電気（Ｏ／Ｅ：Optical/Electrical）変換部４０３ａ、４０３ｂおよび４０３ｃを有する。同様に、１０ＧＭＵＸ／ＤＥＭＵＸ４０２ｂは、ＲＲＨ２０４との間で入出力する３つの回線（回線（４）、回線（５）および回線（６））の光信号をベースバンド信号に変換するＯ／Ｅ変換部４０３ｄ、４０３ｅおよび４０３ｆを有する。また、リモート装置２０３は、制御部４０４と、インチャネル情報受信部４０５とを有する。
【００４１】
ここで、Ｏ／Ｅ変換部４０３ａ、４０３ｂ、４０３ｃ、４０３ｄ、４０３ｅおよび４０３ｆは、ＲＲＨ２０４およびアンテナ２０５と同様にアルファベットを付けて表記する。また、１０ＧＭＵＸ／ＤＥＭＵＸ４０２ａおよび１０ＧＭＵＸ／ＤＥＭＵＸ４０２ｂについても同様にアルファベットを付けて表記する。
【００４２】
ＭＵＸ／ＤＥＭＵＸ４０１は、光ファイバ１０３から入力する波長が異なる２つのチャネルの光信号を波長毎に分離して、１０ＧＭＵＸ／ＤＥＭＵＸ４０２ａおよび１０ＧＭＵＸ／ＤＥＭＵＸ４０２ｂにそれぞれ出力する。或いは、ＭＵＸ／ＤＥＭＵＸ４０１は、１０ＧＭＵＸ／ＤＥＭＵＸ４０２ａおよび１０ＧＭＵＸ／ＤＥＭＵＸ４０２ｂから入力する波長が異なる２つのチャネルの光信号を多重して光ファイバ１０３に出力する。
【００４３】
１０ＧＭＵＸ／ＤＥＭＵＸ４０２ａおよび１０ＧＭＵＸ／ＤＥＭＵＸ４０２ｂは、ＭＵＸ／ＤＥＭＵＸ４０１から入力する光信号を回線毎にＯ／Ｅ変換部４０３に出力する。
【００４４】
例えば図７において、１０ＧＭＵＸ／ＤＥＭＵＸ４０２ａは、回線（１）の光信号をＯ／Ｅ変換部４０３ａ、回線（２）の光信号をＯ／Ｅ変換部４０３ｂ、回線（３）の光信号をＯ／Ｅ変換部４０３ｃにそれぞれ出力する。或いは、１０ＧＭＵＸ／ＤＥＭＵＸ４０２ａは、各Ｏ／Ｅ変換部４０３から入力する３つの回線の光信号を束ねてＭＵＸ／ＤＥＭＵＸ４０１に出力する。同様に、１０ＧＭＵＸ／ＤＥＭＵＸ４０２ｂは、回線（４）の光信号をＯ／Ｅ変換部４０３ｄ、回線（５）の光信号をＯ／Ｅ変換部４０３ｅ、回線（６）の光信号をＯ／Ｅ変換部４０３ｆにそれぞれ出力する。或いは、１０ＧＭＵＸ／ＤＥＭＵＸ４０２ａは、各Ｏ／Ｅ変換部４０３から入力する３つの回線の光信号を束ねてＭＵＸ／ＤＥＭＵＸ４０１に出力する。さらに、１０ＧＭＵＸ／ＤＥＭＵＸ４０２ａおよび１０ＧＭＵＸ／ＤＥＭＵＸ４０２ｂは、図５および図６で説明したように、インチャネル情報および同期信号をそれぞれ抽出して、インチャネル情報受信部４０５に出力する。尚、１０ＧＭＵＸ／ＤＥＭＵＸ４０２ａおよび１０ＧＭＵＸ／ＤＥＭＵＸ４０２ｂは、例えば、１０Ｇｂｐｓの通信速度を有する光信号を送受信する。
【００４５】
Ｏ／Ｅ変換部４０３は、１０ＧＭＵＸ／ＤＥＭＵＸ４０２ａおよび１０ＧＭＵＸ／ＤＥＭＵＸ４０２ｂから入力する光信号を各回線のベースバンド信号に変換してＲＲＨ２０４に出力する。或いは、ＲＲＨ２０４から入力する各回線のベースバンド信号を光信号に変換する。
【００４６】
制御部４０４は、リモート装置２０３全体の動作を制御する。また、制御部４０４は、ＢＤＥ２０１から受信するインチャネル情報により、リモート装置２０３やＲＲＨ２０４の制御を行う。
【００４７】
インチャネル情報受信部４０５は、ＢＤＥ２０１から受信するインチャネル情報を抽出して制御部４０４に出力する。尚、インチャネル情報および同期信号は、１０ＧＭＵＸ／ＤＥＭＵＸ４０２ａおよび１０ＧＭＵＸ／ＤＥＭＵＸ４０２ｂの両方から入力され、制御部４０４は、同期信号の同期が確立している方のインチャネル情報を選択する。
【００４８】
このように、本実施形態におけるリモート装置２０３は、複数の回線のベースバンド信号を束ねたチャネル毎に異なる波長の光信号に変換してセンタ装置２０２との間で送受信する。そして、リモート装置２０３は、異なる波長の光信号のチャネル毎に付加されたインチャネル情報と同期信号とをセンタ装置２０２側から受信する。これにより、片側のチャネルに障害が発生した場合でも、残りのチャネルでインチャネル情報を送受信できるので、本実施形態に係る基地局システム１００は、障害が発生していないチャネルで送受信する回線の通信を継続することができる。尚、先に説明したように、本実施形態に係る基地局システム１００は、２つのチャネルでインチャネル情報および同期信号を送受信するが、３つ以上のチャネルで波長分割多重してもよい。
【００４９】
図８は、インチャネル情報受信部４０５の一例を示す。図８において、インチャネル情報受信部４０５は、同期信号検出部４５１と、インチャネル情報選択部４５２とを有する。
【００５０】
同期信号検出部４５１は、先に図６で説明したように、予め決められたタイムスロットで定期的に受信する同期信号を検出する。同期信号検出部４５１は、予め決められたパターンの符合を相関処理して同期信号を検出し、例えば相関値が予め設定した閾値以上の時に、同期が確立したと判断する。ここで、図６で説明したように、同期信号は、繰り返し送信されるブロックの予め決められたタイムスロットで送信される。同期信号検出部４５１は、１つのブロックで同期の確立を判断してもよいし、複数のブロックで連続して同期の確立を検出した場合に、最終的に同期が確立したと判断してもよい。
【００５１】
インチャネル情報選択部４５２は、同期信号検出部４５１が同期信号の同期の確立を検出したチャネルのインチャネル情報を選択し、選択したインチャネル情報を制御部４０４に出力する。例えば、インチャネル情報選択部４５２は、１０ＧＭＵＸ／ＤＥＭＵＸ４０２ａの同期信号の同期の確立を検出した場合、１０ＧＭＵＸ／ＤＥＭＵＸ４０２ａが受信するインチャネル情報を選択する。逆に、インチャネル情報選択部４５２は、１０ＧＭＵＸ／ＤＥＭＵＸ４０２ｂの同期信号の同期の確立を検出した場合、１０ＧＭＵＸ／ＤＥＭＵＸ４０２ｂが受信するインチャネル情報を選択する。もし、両方の同期信号の同期の確立を検出した場合、インチャネル情報選択部４５２は、予め決められたデフォルトのチャネルのインチャネル情報を選択する。尚、両方の同期信号の同期の確立を検出しなかった場合、インチャネル情報選択部４５２は、同期エラーを制御部４０４に出力する。
【００５２】
このようにして、インチャネル情報受信部４０５は、同期信号の同期が確立している方のチャネルのインチャネル情報を選択して制御部４０４に出力する。これにより、本実施形態に係る基地局システム１００は、片側のチャネルの通信に障害が発生した場合でも、残りのチャネルでインチャネル情報を送受信できる。そして、リモート装置２０３は、インチャネル情報を受信した片側のチャネルのＲＲＨ２０４を動作させることができる。例えば、図７の場合、１０ＧＭＵＸ／ＤＥＭＵＸ４０２ａの通信に障害が発生した場合、インチャネル情報受信部４０５は、１０ＧＭＵＸ／ＤＥＭＵＸ４０２ｂからインチャネル情報を受信できる。これにより、制御部４０４は、Ｏ／Ｅ変換部４０３ｄ、４０３ｅおよび４０３ｆを動作させて、ＲＲＨ２０４ｄ、ＲＲＨ２０４ｅおよびＲＲＨ２０４ｆにより、無線端末１０６と通信を行うことができる。
【００５３】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５４】
１００・・・基地局システム；１０１・・・基地局；１０２・・・張出局；１０３・・・光ファイバ；１０４・・・コアネットワーク；１０５・・・基地局制御装置；１０６・・・無線端末；２０１・・・ＢＤＥ；２０２・・・センタ装置；２０３・・・リモート装置；２０４，２０４ａ，２０４ｂ，２０４ｃ，２０４ｄ，２０４ｅ，２０４ｆ・・・ＲＲＨ；２０５，２０５ａ，２０５ｂ，２０５ｃ，２０５ｄ，２０５ｅ，２０５ｆ・・・アンテナ；３０１，３０１ａ，３０１ｂ，３０１ｃ，３０１ｄ，３０１ｅ，３０１ｆ・・・Ｅ／Ｏ変換部；３０２，３０２ａ，３０２ｂ・・・１０ＧＭＵＸ／ＤＥＭＵＸ；３０３・・・ＭＵＸ／ＤＥＭＵＸ；３０４・・・制御部；３０５・・・インチャネル情報送信部；３５１・・・インチャネル情報生成部；３５２・・・同期信号生成部；４０１・・・ＭＵＸ／ＤＥＭＵＸ；４０２，４０２ａ，４０２ｂ・・・１０ＧＭＵＸ／ＤＥＭＵＸ；４０３，４０３ａ，４０３ｂ，４０３ｃ，４０３ｄ，４０３ｅ，４０３ｆ・・・Ｏ／Ｅ変換部；４０４・・・制御部；４０５・・・インチャネル情報受信部；４５１・・・同期信号検出部；４５２・・・インチャネル情報選択部
【図１】
2015156551.tif 000003
【図２】
2015156551.tif 000004
【図３】
2015156551.tif 000005
【図４】
2015156551.tif 000006
【図５】
2015156551.tif 000007
【図６】
2015156551.tif 000008
【図７】
2015156551.tif 000009
【図８】
2015156551.tif 000010